(57)【要約】【課題】靴の羽根部を締結する方法を改良し、歩行・走行運動中にアーチが低下し、過剰な回内を防止する。【解決手段】羽根部を所定の締結具で締結する通常の歩行運動に使用する日常使用の靴の裏材の内側縦ア−チ対応箇所にＹ字状の補強材を接合し、必要に応じて補強材を靴の外側に緊張させる。【選択図】図４
2016036703.tif 000002
【特許請求の範囲】
【請求項１】
足全体を覆うアッパー、アッパーに接着されたソール及び外羽根式羽根部又は内羽根式羽根部を主要構成部材として含み前記羽根部を所定の緊締具で緊締するタイプの靴において、第５中足骨骨底対応部、第４中足骨骨底対応部、第３中足骨骨底対応部及び第２中足骨骨底対応部に跨り、内側楔状骨対応部で左右に分枝し、一方は第１中足骨骨底対応部を経てアッパーの裏材に固着され、他方は舟状骨対応部及び踵骨対応部を経てアッパーの裏材に固着された全体としてＹ字状の補強材の端部に伸縮性の紐帯を連結し、前記伸縮性の紐帯を前記羽根部と前記アッパーの間を経て、アッパーの外側面に設けた開口部から引き出し、前記開口部から引き出された伸縮性の紐帯を脱着可能にアッパーに固定する所定の締結手段を備えた靴。
【請求項２】
前記伸縮性の紐帯が、ゴムバンドである請求項１に記載した靴。
【請求項３】
前記伸縮性の紐帯が、ゴムと不織布或いは織布との複合材である請求項１に記載した靴。
【請求項４】
前記開口部から引き出された伸縮性の紐帯を脱着可能にアッパーに固定する所定の締結手段が、スナップボタンである請求項１〜３のいずれか１項に記載した靴。
【請求項５】
前記開口部から引き出された伸縮性の紐帯を脱着可能にアッパーに固定する所定の締結手段が面状ファスナーである請求項１〜３もいずれか１項に記載した靴。
【発明の詳細な説明】
【技術分野】
【０００１】  本発明は、靴に関する。より詳細に述べれば、本発明は、足全体を覆うアッパー、アッパーに接着されたソール及び外羽根式羽根部又は内羽根式羽根部を主要構成部材として含み前記羽根部をシューレース又はストラップで締結するタイプの靴の締結方法を改良した靴に関する。
【背景技術】
【０００２】  下記の記載において、足の骨格の説明に関しては、必要に応じてＨ．Ｆ．Ｆｒｉｃｋ，Ｂ．Ｋｕｍｍｅｒ，Ｒ．Ｖ．Ｐｕｔｚ編集、２００１年４月２０日新装第１印発行（西村書店発行）「ヴォルフ人体解剖学アトラス（新装版）」を参考にした。
靴の代表的なタイプとして、足全体を覆うアッパー、アッパーに接合されたソール及び外羽根式羽根部又は内羽根式羽根部とを主要構成部材として含み前記羽根部を靴紐（シューレース）及び／又はストラップで締結するタイプがある。外羽根式は、羽根部がアッパーに外付けされていて外方に大きく開く構造になっている。他方、内羽根式は、羽根部がアッパーと切り替えて連続して形成されていて、構造上開き難くなっている。このタイプの靴は、その製法上、左右一対の羽根部の間に開口部が形成され、開口部にタン（ベロ）、いわゆる泥除けが形成されている。外羽根式の場合のタン（ベロ）は、主としてアッパー自体が連続してカッティングされて前記開口部へ挿入された構造である。他方、内羽根式の場合は、アッパーと同じ材料又は異なる材料でタン（ベロ）状に製造され、羽根部とアッパーとの境目の裏材と一緒に所定の方法により接合されている。左右一対の羽根部を緊締するには二つの方法がある。第一の方法は、羽根部に左右対向して複数組のアイレット（鳩目）を形成し、アイレットに通した靴紐を締めて左右の羽根部を緊締する方法である。第二の方法は、前記開口部を跨ぐようにストラップを取り付けて、左右のアッパーを締結する方法である。これらの方法はいずれか一つを採用するか、または両者を使用することもある。前記ストラップとしては、主として、面状ファスナー、いわゆる「マジックテープ（登録商標名）」、或は「ベルクロ（登録商標名）」等が例示される。
以下、前記羽根部を締結する靴紐（シューレース）、ストラップまたはこの両者を「締結具」と総称する場合がある。【０００３】  人の足を後部垂直方向に観察すると、地面に接地する踵骨の上に距骨下関節を介して距骨、さらに距骨の上に足関節を介して脛骨と腓骨が、それぞれ積木のように積み上げられ、動きやすい構造になっている。足の骨格を構成する７個の足根骨、５個の中足骨及び１４個の趾骨自体の構造的形状から、足の骨自体、特に足の骨を構成する踵骨が内側に傾き易くなっている。歩行運動中、足関節が過剰に回内するとさまざまな障害を惹起する。即ち、脛骨が内旋し、さらに膝関節を介して連結している大腿骨が内旋し、膝関節に過剰の負荷がかかり、長期に及ぶと通常歩行時にも痛みが発生する。これを防止する一つの方法は、通常の歩行運動、サッカー、バスケットボール、テニス、ランニング等ハードなスポーツ、或いはウオーキング或いはジョギング等の運動中、できるだけ、過剰な回内が発生するのを防止することである。ここで、足の回内とは、「アーチ、主として内側縦アーチが過度に低下して踵骨の上にある距骨が内側に回り、踵骨が内側に倒れる動き」と定義する。【０００４】  ところで、締結具の第一義的要件は、無論、締結具で左右一対の羽根部を締結することにより、靴の中で足が動くのを阻止し、歩行運動中に靴の中で足が移動し、靴が脱落する、或いは事故に繋がるのを未然に防止することである。然しながら、近年、靴の使用法が多様化されてきている。たとえば、小学生、中学生等学童、学生は、通学に使用する靴で、サッカー、バスケットボール、テニス、ランニング等ハードなスポーツを行うことがある。このようなハードなスポーツを足の運動から見た場合、通常の歩行運動、全力疾走運動、急停止、方向転換運動、跳躍運動等が組み合わされた複雑な動きを伴っている。従って、従来のように、左右一対の羽根部を締結することを目的とした単純な締結具では、運動中に締結具が緩み、靴の中で足が移動し、捻挫或いは過剰な回内位現象が発生するリスクが大きくなる。また、近年、年齢、性別を問わず、ウオーキング或いはジョギングが盛んであるが、ウオーキング或いはジョギングを行う前に締結具を強く締めても、長時間の運動中に緩み、中高年齢者の場合は、想定外の怪我や事故を惹起することがある。従って、理想的な締結具は、運動の態様（運動の種類、運動量、運動時間、運動の過酷度等）に応じて瞬間・瞬間に締結具の締結力を自動的に変更できるようなものである。然しながら、このような理想的な締結具の開発は極めて困難である。
そこで、通常の歩行に使用する靴を履いたまま前述したような激しいスポーツ、またはウオーキング或いはジョギング等をする直前または運動中に、従来の締結具の他に、運動中足が動かないように一層強く足を固定し、過剰の回内を防止するような補助的な締結具を備えている靴が望ましい。より具体的に言えば、内側縦ア−チ、横アーチ及び外側縦アーチを支持する解剖学的立体構造を内蔵した靴が望まれていた。【０００５】  このような観点から従来技術を検討する。特許文献１は、「靴（１）の足の甲部分（Ａ）から靴（１）の踵部分（５）と足の土踏まず部分へ筒袋状（４）を固定装着しその中へバンド（２）を通し歩行・走行時に足の甲部分（Ａ）が上がるとバンド（２）を介し靴（１）の踵部分（５）を引上げバンド装備で靴脱を防止した靴脱防止靴走（請求項１）」を開示している。そして、特許文献１が記載する靴は開発された背景として「また、歩行・走行時には足の各指の関節部分から屈折し曲がり歩行・走行する、その時には必ず足の踵部分も上がる、そのため靴の踵部分と足の踵部分との密着度がなくなり隙間ができ、靴脱げ現象が起こると言った問題点がった。」と記載している（段落０００３）。そして、その効果として「弾力性バンドを靴の内部の内側部分へ装着した結果、足の踵部分が上がると同時に靴の踵部分も引き上り、足の踵部分への密着度も保ち歩行または走行中の靴脱が防止され、靴を履いた時の足元に一層の安定が得られ足首、踵部分等も保護され捻挫等の障害等からも回避される。」と記載している（段落００１２）。これらを総覧すると、歩行・走行運動中に発生する靴の踵部分と足の踵部分との密着度がなくなり隙間ができ、靴脱げ現象が起こるのを防止することを第一義的目的とすることが明らかである。従って、特許文献１に記載されている従来技術は、通常の歩行運動から、全力疾走運動、急停止、方向転換運動、跳躍運動等が組み合わされた複雑な動きを伴う激しい運動、或いはウオーキング或いはジョギングを行う前、またはそれらの運動中に適宜締結し直して、靴の中で足が不規則な移動をし、歩行・走行運動中にアーチ、特に内側縦アーチが低下するのを防止して、過剰な回内を防止することもできない。【０００６】  特許文献２は、「甲被開口部に沿う両甲被に一方に、バンドの一端を固着し、前記バンドの他端を、対向する甲被に設けた環状部を通って甲被開口部と略直交して折り返す構成とし、かつ折り返し側の甲被と前記バンドの折り返し部の裏面に雌雄の異なる面ファスナー片を設けて、前記バンドが着脱自在となるように構成した靴において、前記バンドの一端が第一の伸縮性のゴムバンドを介して甲被に固着しており、かつ前記折り返し側の甲被に設けた面ファスンナー片は、補強部材の上に重合、縫着されており、第２の伸縮性のゴムバンドを介して折り返し側の甲被に伸縮自在に固着していることを特徴とする靴の緊締結構造。」が記載されている（請求項１）。そして、その効果として「本発明の靴の緊締構造は、バンドおよび甲被に設けられた雌雄の面ファスナーにより着脱が容易であることはもとより、着用後においても締め圧が均一となりフィット感に優れるものである。」と記載されている（段落００１２）。従って、特許文��２に記載された靴は、締結具自体の改良であって、通常の歩行運動から、全力疾走運動、急停止、方向転換運動、跳躍運動等が組み合わされた複雑な動きを伴う激しい運動、或いはウオーキング或いはジョギングを行う前、またはそれら運動中に適宜締結し直して、靴の中で足が不規則な移動をし、歩行・走行運動中に発生する過剰の回内を防止すること、或いはアーチ、特に内側縦アーチが低下するのを防止することもできない。特許文献１に記載されている従来技術は、通常の歩行運動から、全力疾走運動、急停止、方向転換運動、跳躍運動等が組み合わされた複雑な動きを伴う激しい運動、或いはウオーキング或いはジョギングを行う前、またはそれらの運動中に適宜締結し直して、靴の中で足が不規則な移動をし、歩行・走行運動中にアーチ、特に内側縦アーチが低下するのを防止して、過剰な回内を防止することもできない。
【先行技術文献】
【特許文献】
【０００７】
【特許文献１】特開２００８−２３７８５９号公報
【特許文献２】特開平１１−４７０４号公報
【発明の概要】
【発明が解決しようとする課題】
【０００８】  以上、概説したように、従来技術は、通常の歩行運動に使用する、いわゆる日常使用の靴を履いたまま、歩行運動から、全力疾走運動、急停止、方向転換運動、跳躍運動等が組み合わされた複雑な動きを伴う激しい運動、或いはウオーキング或いはジョギングを行う前、またはそれらの運動中に適宜締結具を締結し直して、靴の中で足が不規則な移動をし、歩行・走行運或いは前記激しい運動中に、アーチ、特に内側縦アーチが低下するのを防止して、過剰な回内を防止することはできない。【０００９】従って、発明が解決しようとする第一の課題は、足全体を覆うアッパー、アッパーに接着されたソール及び外羽根式羽根部又は内羽根式羽根部を主要構成部材として含み前記羽根部を所定の締結具で締結するタイプの靴の締結方法を改良し、歩行・走行運動中にアーチが低下し、過剰な回内を防止することである。【００１０】  本発明が解決しようとする第二の課題は、足全体を覆うアッパー、アッパーに接着されたソール及び外羽根式羽根部又は内羽根式羽根部とを主要構成部材として含み前記羽根部をシューレース又はストラップで締結するタイプの通常の歩行運動に使用する、いわゆる日常使用の靴を履いたまま、歩行運動から、全力疾走運動、急停止、方向転換運動、跳躍運動等が組み合わされた複雑な動きを伴う激しい運動、或いはウオーキング或いはジョギングを行う前、またはそれらの運動中に適宜締結具を締結し直して、靴の中で足が不規則な移動をし、歩行・走行運或いは前記激しい運動中に、アーチ、特に内側縦アーチが低下するのを防止して、過剰な回内を防止することが可能な補助的な締結具を備えている靴を提供することである。
本発明が解決する課題及び利点は以下逐次明らかにされる。
【課題を解決するための手段】
【００１１】発明者は鋭意検討した結果、足全体を覆うアッパー、アッパーに接着されたソール及び外羽根式羽根部又は内羽根式羽根部を主要構成部材として含み前記羽根部をシューレース又はストラップで締結するタイプの通常の歩行運動に使用する、いわゆる日常使用の靴の裏材の内側縦ア−チ対応箇所に適当な補強材を接合し、必要に応じて前記補強材を靴の外側に緊張させることにより前記課題が解決できることを発見した。【００１２】従って、前記課題は下記の各項に記載した手段により解決される。
１．足全体を覆うアッパー、アッパーに接着されたソール及び外羽根式羽根部又は内羽根式羽根部を主要構成部材として含み前記羽根部を所定の緊締具で緊締するタイプの靴において、第５中足骨骨底対応部、第４中足骨骨底対応部、第３中足骨骨底対応部及び第２中足骨骨底対応部に跨り、内側楔状骨対応部で左右に分枝し、一方は第１中足骨骨底対応部を経てアッパーの裏材に固着され、他方は舟状骨対応部及び踵骨対応部を経てアッパーの裏材に固着された全体としてＹ字状の補強材の端部に伸縮性の紐帯を連結し、前記伸縮性の紐帯を前記羽根部と前記アッパーの間を経て、アッパーの外側面に設けた開口部から引き出し、所定の手段で脱着可能にアッパーに固定できるようにした締結手段を備えた靴。【００１３】２．前記１項において、伸縮性の紐帯をゴムバンドとする。【００１４】  ３．前記１項において、伸縮性の紐帯をゴムと不織布或いは織布との複合材とする。【００１５】４．前記１〜３項のいずれか１項において、開口部から引き出された伸縮性の紐帯を脱着可能にアッパーに固定する所定の締結手段をスナップボタンとする。【００１６】５．前記１〜３項のいずれか１項において、開口部から引き出された伸縮性の紐帯を脱着可能にアッパーに固定する所定の締結手段を面状ファスナーとする。
【発明の効果】
【００１７】請求項１に記載した発明により、下記の効果を奏功する。
足全体を覆うアッパー、アッパーに接着されたソール及び外羽根式羽根部又は内羽根式羽根部を主要構成部材として含み前記羽根部を所定の緊締具で緊締するタイプの靴において、第５中足骨骨底対応部、第４中足骨骨底対応部、第３中足骨骨底対応部及び第２中足骨骨底対応部に跨り、内側楔状骨対応部で左右に分枝し、一方は第１中足骨骨底対応部を経てアッパーの裏材に固着され、他方は舟状骨対応部及び踵骨対応部を経てアッパーの裏材に固着された全体としてＹ字状の補強材の端部に伸縮性の紐帯を連結し、前記伸縮性の紐帯を前記羽根部と前記アッパーの間を経て、アッパーの外側面に設けた開口部から引き出し、前記開口部から引き出された伸縮性の紐帯を脱着可能にアッパーに固定する所定の締結手段を備えているので、通学、或いは買い物、散歩等日常行動に使用する靴を履いたまま、歩行運動から、全力疾走運動、急停止、方向転換運動、跳躍運動等が組み合わされた複雑な動きを伴う激しい運動、或いはウオーキング或いはジョギングを行う直前、またはそれらの運動中に適宜締結具を締結し直して強く締め付け足の内側面を外側に持ち上げることによりアーチ、特に内側縦アーチが低下するのを防止して、過剰な回内を防止することができる。【００１８】請求項２に記載した発明により、請求項１に記載した発明で奏功される効果に加えて、伸縮性の紐帯をゴムバンドとしたので、ゴムの最大の特性である高弾性を利用して任意の弾性で締結することができる。【００１９】請求項３に記載した発明により、請求項１に記載した発明で奏功される効果に加えて、伸縮性の紐帯をゴムと不織布或いは織布との複合材としたので、ゴムの特性である高弾性による締め付け効果と基布である不織布或いは織布による剛性または耐久性が向上する。【００２０】請求項４に記載した発明により、請求項１〜３項に記載した発明で奏功される効果に加えて、開口部から引き出された伸縮性の紐帯を脱着可能にアッパーに固定する所定の締結手段をスナップボタンとしたので、一旦嵌めると、簡単に外れることがないので、安定した締結具となる。【００２１】請求項５に記載した発明により、請求項１〜３項に記載した発明で奏功される効果に加えて、開口部から引き出された伸縮性の紐帯を脱着可能にアッパーに固定する所定の締結手段を面状ファスナーとしたので、幼児、女性或いは高齢者等身体的弱者でも簡単に脱着できる。
【図面の簡単な説明】
【００２２】
【図１】本発明の一実施例の全体を示す左側斜視図
【図２】本発明の一実施例の左側断面図
【図３】本発明の一実施例の右側断面図
【図４】本発明の一実施例のＹ字状の補強材と足の骨格との関係を示す透視図。
【発明を実施するための形態】
【実施例】
【００２３】    以下、本発明の実施の形態を、添付した図面に基づいて実施例を説明する。
図１は、本発明の靴１の一実施例の全体を示す左側面図である。足全体を覆うアッパー２、アッパーに接合されたソール３及び左右一対の外羽根式羽根部４、５を主要構成部材として含み、左右一対の羽根部４、５の間に開口部６が形成され、開口部６にタン（ベロ）７、いわゆる泥除けが形成されている。タン（ベロ）７は、開口部６において左右一対の羽根部４、５の間でフリーの状態である。前記羽根部４、５を第１のストラップ８及び靴紐（シューレース）９で締結するようになっている。第１のストラップ８の端部１０には、所定の締結具、たとえば、面状ファスナー１１のフックが取り付けてある。他方、第１のストラップ８が締結される相手である１２は、アッパー２の所定の位置に固着されていて、その表面には、面状ファスナー１１のフックが篏合するループ１３が縫着されている。１４は、本発明の特徴部である第２のストラップである。第２のストラップ１４は、第５中足骨骨底対応部、第４中足骨骨底対応部、第３中足骨骨底対応部及び第２中足骨骨底対応部に跨り、内側楔状骨対応部で左右に分枝し、一方は第１中足骨骨底対応部を経てアッパーの裏材に固着され、他方は舟状骨対応部及び踵骨対応部を経てアッパーの裏材に固着された全体としてＹ字状の補強材２１（図３，４）の端部に伸縮性の紐帯、たとえばゴムバンド１５が連結してある。ゴムバンド１５の端部１６には所定の締結具、たとえば、面状ファスナーのフック１７が縫着されている。ゴムバンド１５は、アッパー２の所定の位置に形成された開口部１８から引き出されるようになっている。他方、第２のストラップ１４が締結される相手である１９は、アッパー２の所定の位置に固着されていて、その表面には、面状ファスナー１７のフックが篏合するループ２０が縫着されている。なお、理解しやすくするために、図１では、ゴムバンド１５の端部１６は裏返した状態で記載されている。Ｙ字状の補強材２１に関しては後述する。【００２４】    図２は本発明の一実施例のアッパー左側断面図、図３は本発明の一実施例のアッパー右側断面図、図４は本発明の一実施例のＹ字状の補強材と足の骨格との関係を示す透視図である。
図２において、２２はアッパー２の裏材、２３は羽根部５（図１）の裏材である。ゴムバンド１５の端部１６（図１）が、アッパー２の内側を経て羽根部５の上を通ってアッパー２の所定の位置に形成された開口部１８から引き出される状態を示している。【００２５】  図３は本発明の一実施例の右側断面図である。図３において、１５はゴムバンド、２１はＹ字状補強材である。補強材２１は、ポリエステル、ナイロン、綿、或はそれらの複合材から強度、耐久性等を勘案して適宜選択される。【００２６】  本発明によるＹ字状補強材２１は、裏材２２に縫着されているが、図４は、裏材２２を取り外しで、Ｙ字状補強材２１が、足の骨格とどのような位置関係にあるかを示す透視図である。Ｙ字状の補強材２１は、直線部分２５と、Ｙ字状の補強材２１の分岐点２６から分岐された分岐部２７と分岐部２８から構成されている。Ｙ字状の補強材２１の直線部分２５は、第５中足骨骨底対応部２９、第４中足骨骨底対応部３０、第３中足骨骨底対応部３１及び第２中足骨骨底対応部３１に跨っている。分岐点２６は、内側楔状骨対応部３３に対応している。一方の分岐部２７は、第１中足骨骨底対応部３４を経てアッパーの裏材２２に固着され、他方の分岐部２８は舟状骨対応部３５及び踵骨対応部３６を経てアッパーの裏材２２に固着されている。Ｙ字状の補強材２１の端部には伸縮性の紐帯、たとえばゴムバンド１５（図１）が連結され、前記伸縮性の紐帯を前記羽根部５と前記アッパー２の間を経て、アッパー２の外側面に設けた開口部１８から引き出されるようになっている。そして、前記開口部１８から引き出された伸縮性の紐帯１５は、アッパー２に固着された締結手段１９に脱着可能に締結される。
【産業上の利用分野】
【００２７】      本発明の靴は上述したような構成になっているので、通常の歩行、いわゆる日常使用の靴として使用したまま、歩行運動から、全力疾走運動、急停止、方向転換運動、跳躍運動等が組み合わされた複雑な動きを伴う激しい運動、或いはウオーキング或いはジョギングを行う前、またはそれらの運動中に適宜締結具を締結し直して、靴の中で足が不規則な移動をし、歩行・走行運或いは前記激しい運動中に、アーチ、特に内側縦アーチが低下するのを防止して、過剰な回内を防止することができる。
【符号の説明】
【００２８】１    靴
２    アッパー
３    ソール
４    外羽根式羽根部
５    外羽根式羽根部
６    開口部
７    タン（ベロ）
８    第１のストラップ
９    靴紐（シューレース）
１０  第１のストラップ８の端部
１１  面状ファスナー
１２  ストラップ８が締結される相手
１３  ループ
１４  第２のストラップ
１５  ゴムバンド
１６  ゴムバンド１５の端部
１７  面状ファスナーのフック
１８  開口部
１９  ストラップ１４が締結される相手
２０  ループ
２１  Ｙ字状補強材
２２  アッパー２の裏材
２３  羽根部５の裏材
２４  外羽式羽根部内側
２５  Ｙ字状補強材の直線部分
２６  Ｙ字状の補強材の分岐点
２７  分岐部
２８  分岐部
２９  第５中足骨骨底対応部
３０  第４中足骨骨底対応部
３１  第３中足骨骨底対応部
３２  第２中足骨骨底対応部
３３  内側楔状骨対応部
３４  第１中足骨骨底対応部
３５  舟状骨対応部
３６  踵骨対応部
【図１】
2016036703.tif 000003
【図２】
2016036703.tif 000004
【図３】
2016036703.tif 000005
【図４】
2016036703.tif 000006